(57)【特許請求の範囲】
【請求項１】
筆記先端部（１６）を有する筆記部（１２）と、特に筆記先端部（１６）を保護する、筆記部（１２）に取り外し可能に接続できるキャップ（２２）とを有する筆記具において、
キャップ（２２）と筆記部（１２）とを取り外し可能に接続するために、筆記部は、それぞれが球状の湾曲した接続領域（２６）を持つ複数の接続手段（２４）としての球を有し、
キャップ（２２）は、内面に雌ネジ（３２）を有し、
キャップ（２２）が筆記部（１２）に取り付けられた状態において、各接続手段（２４）の接続領域（２６）がそれぞれ雌ネジ（３２）のネジ山（３４）の中に全部又は一部入り込むように、一方ではキャップ（２２）の雌ネジ（３２）が、また他方では筆記部（１２）の接続手段（２４）が位置決めされ且つ形成され、
接続手段（２４）は、それぞれ位置不変且つ回転可能に設けられ、接続手段（２４）の球が自転可能に支承され、
キャップ（２２）は、キャップ（２２）と筆記部（１２）との間の相対回転により、筆記部（１２）に取り付けられていない状態から、筆記部（１２）に取り付けられた状態へと移行可能であり、その過程で、接続手段（２４）がそれぞれネジ山（３４）に沿って、当該ネジ山に係合しながら案内され、
接続手段（２４）は、雌ネジ（３２）のネジ山（３４）の螺旋の延び方に従って、それに合わされた、筆記部（１２）に対して設けられた仮想の螺旋に沿って互いに離間して配置されていることを特徴とする筆記具。
【請求項２】
接続手段（２４）は、筆記部（１２）の窪み又は凹部の中にそれぞれ一つ据え付けられており、特に筆記部（１２）の外側に設けられた窪みまたは凹部の中に据え付けられていることを特徴とする請求項１に記載の筆記具。
【請求項３】
接続手段（２４）は、使用者が筆記中に筆記部（１２）を把持する筆記部（１２）の領域に設けられていることを特徴とする請求項１または２に記載の筆記具。
【請求項４】
キャップ（２２）は、一方の端部に開口部を有し、キャップ（２２）を筆記部（１２）に取り付けるために、当該開口部に筆記部（１２）を挿入することができ、
雌ネジ（３２）は、キャップ開口部に隣接させてキャップ（２２）の内面に設けられており、特にキャップ開口部から１／３よりも遠くへは隔てられないようにして設けられていることを特徴とする請求項１乃至３のいずれか一項に記載の筆記具。
【請求項５】
接続手段（２４）は、キャップ（２２）が取り付けられた状態でキャップ（２２）によって覆われる筆記部（１２）の外面に対してそれぞれ少なくとも部分的に半径方向に突出していることを特徴とする請求項１乃至４のいずれか一項に記載の筆記具。
【請求項６】
各接続手段（２４）は、接続手段を含んだ筆記部（１２）の断面において、少なくとも部分的に筆記部（１２）の輪郭よりもさらに半径方向外側に配置されていることを特徴とする請求項１乃至５のいずれか一項に記載の筆記具。
【請求項７】
筆記部（１２）は、接続手段（２４）のための凹部又は窪みを持つ周方向に延在する保持リング（２８）を有し、各凹部又は窪みの中には、それぞれ一つの接続手段（２４）が据え付けられていることを特徴とする請求項１乃至６のいずれか一項に記載の筆記具。
【請求項８】
保持リング（２８）は、半径方向外側においてカバーリング（２０ｃ）により覆われており、カバーリングは、各接続手段（２４）のために半径方向に延在する貫通孔を有し、当該貫通孔を通って、凹部又は窪みの中に据え付けられている各接続手段（２４）が少なくとも部分的に外に向かって延出していることを特徴とする請求項７に記載の筆記具。
【請求項９】
保持リング（２８）又はカバーリング（２０ｃ）の外面は、保持リング（２８）又はカバーリング（２０ｃ）の両側で、保持リング（２８）又はカバーリング（２０ｃ）に隣接している外面であって筆記部（１２）の隣接している外側壁部（３６，３８）の外面と面一に延在していることを特徴とする請求項７又は８に記載の筆記具。
【発明の詳細な説明】
【技術分野】
【０００１】
本明細書は、筆記先端部を有する筆記部と、特に筆記先端部を保護する、筆記部に取り外し可能に接続できる（保護）キャップとを有する筆記具に関する。
【背景技術】
【０００２】
（保護）キャップ付きの筆記具は、様々な形態のものが公知である。キャップは、何よりもまず筆記先端部を乾燥から保護し機械的な影響から守るのに用いられる。その場合、筆記部にキャップを固定する態様には様々なものが存在する。例えば、主として摩擦力でとめる（摩擦結合が生じる）ように筆記部の上に軸径が大きいキャップを嵌める例が公知である。さらに複数の解決手段が公知であり、そこでは、キャップは、付勢された状態で筆記部上に保持された押圧スナップボタン（Ｄｒｕｃｋｋｎｏｐｆ）のための凹部を有している。これにより、主として嵌め合い（形状結合）の作用が及ぼされる。さらに、複数の解決手段が公知であり、そこでは、筆記部に雄ネジが設けられており、この雄ネジの上に、キャップの内側に設けられた雌ネジが螺合される。
【０００３】
押圧スナップボタンにしても、雄ネジにしても、場合によっては書く際に押圧スナップボタンや雄ネジにユーザの手が触れるので、幾人かのユーザには邪魔に感じられる。
【発明の概要】
【発明が解決しようとする課題】
【０００４】
本発明は、冒頭に述べた類の筆記具を発展させることを目的とする。
【課題を解決するための手段】
【０００５】
この課題は、請求項１の特徴部を備えた筆記具により解決される。
【０００６】
それによると、筆記部は、（保護）キャップと筆記部とを取り外し可能に接続するために、それぞれが楕円体形状の湾曲した接続領域を持つ複数の個別の（且つ互いに離間された）接続手段を有し、また、キャップは、内面に雌ネジを有し、キャップが筆記部に取り付けられた状態において、各接続手段の楕円体形状に湾曲した接続領域がそれぞれ雌ネジのネジ山の中に入り込むように、一方ではキャップの雌ネジが、他方では筆記部の接続手段が位置決めされ且つ形成されている。接続手段は、好ましくは球である。球は、周知のように楕円体の特殊なものである。そして、球は、然るべく特殊な楕円体形状に湾曲した接続領域を有している。つまり、球状に湾曲した表面を有している。また、半球を用いることも考えられ、その球状に湾曲した側が接続領域として用いられる。またさらに、適当な別の楕円体形状に湾曲した接続領域を持つ他の接続手段も可能である。
【０００７】
ここで、キャップは、普通のネジ結合と同様に、キャップと筆記部との間の適当な相対回転により、筆記部上に回して嵌められ或いは螺合される。相対的に回転させている間、接続手段は、それぞれネジ山に沿って案内され、その際に、湾曲した接続領域は、ネジ山の中に入り込んでいる。
【０００８】
好ましくは、接続手段、特にその湾曲した接続領域は、キャップの雌ネジのネジ山の螺旋が延びるのに従って、それに合わされた、筆記部に対して設けられた仮想の螺旋に沿って配置されている。
【０００９】
このとき、この仮想の螺旋に沿って、接続手段は、好ましくはそれぞれ互いに離間されて配置されている。
【００１０】
そのため、楕円体形状に湾曲した接続手段の接続領域は、結局は雄ネジの機能を担う。個々の接続領域の楕円体形状に湾曲した或いは丸められた形状は、例えば連続したネジ面（Ｇｅｗｉｎｄｅｆｌａｎｋｅ）のある雄ネジに比べれば、ユーザには殆ど邪魔に感じられない。その他の点では、極めて少ない数の（例えば二つないし三つの）互いに離間された個別の接続手段しか使わずに済む。その際、接続手段は、（雄ネジのネジ山に合せて）その寸法を小さく保つことができる。また、丸められた或いは楕円体形状に湾曲した接続領域の美的な優雅さが担保されている。それは、特に接続手段が球か半球であるときである。
【００１１】
接続手段は、筆記部に例えば位置不変且つ回転可能に設けられ或るいは支承されていてもよい。この回転可能な支承は、特別な利点をもたらす。こうして、筆記具の頻繁な使用の際或いは筆記部への／からのキャップの頻繁な取り付け又は取り外しの際に、接続手段が、接続手段の部分的な損耗を回転のために引き起こすことがない。このことは、球を用いる場合だけに当てはまるのではないが、球を用いる場合には特に当てはまる。その場合、それぞれ球全体にわたって一様に分散された状態で損耗する。また、取り付けプロセスないしキャップのネジ止め及びネジ外しが容易となる。これは、球が、その間自分の位置で回転することができるからである。
【００１２】
しかしながら、位置不変且つ回転可能な支承の代わりに、接続手段を位置不変且つ回転不能に筆記部に取り付ける或いはそこに保持させることも考えられ得る。特に、半球を用いる場合、回転不能で位置不変の構成が好ましい。同じように、楕円体形状に湾曲した接続領域を持つ他の接続手段や球もまた、このように配置ないし保持させることができる。
【００１３】
球は、本発明の他の構成において、筆記部の窪み又は凹部の中にそれぞれ据え付けられており、特に筆記部の外側に設けられた窪みまたは凹部の中に据え付けられている。
【００１４】
ここで、接続手段は、好ましくは、筆記部のうち使用者が筆記中に把持する筆記部の領域に設けられている。
【００１５】
キャップに関して言えば、キャップは、端部に好ましくは開口部を有し、キャップを筆記部に取り付けるために、当該開口部に筆記部を挿入することができる。雌ネジは、このときキャップ開口部に隣接させてキャップの内面に設けられており、特にキャップ開口部から１／３よりも遠くへは隔てられないようにして設けられている。
【００１６】
接続手段に関して言えば、接続手段は、好ましいことには、キャップが取り付けられた状態においてキャップにより覆われる筆記部の外面に対してそれぞれ少なくとも部分的に半径方向に突出している。
【００１７】
ここで、各接続手段は、筆記部を横切る接続手段を含んだ断面に関して少なくとも部分的に筆記部の輪郭よりもさらに半径方向外側に設けられている。このことは、特に、各接続手段の湾曲した接続領域に当てはまる。
【００１８】
本発明の他の構成において、接続手段のための凹部又は窪みを持つ周方向に延在する保持リングを有してもよく、各凹部又は窪みの中には、それぞれ一つの接続手段が据え付けられる。
【００１９】
ここで、保持リングは、半径方向外側においてカバーリング（隠しリング）（Ｂｌｅｎｄｒｉｎｇ）により覆われていてもよく、カバーリングは、各接続手段のために半径方向に延在する貫通孔を有し、当該貫通孔を通って、凹部又は窪みの中に据え付けられている接続手段が少なくとも部分的に外に向かって延出している。
【００２０】
さらに、保持リング又はカバーリングの外面が、保持リング又はカバーリングの両側で、保持リング又はカバーリングに隣接している外面であって筆記部の隣接している外側壁部の外面と面一に延在しているときには好適である。
【００２１】
本発明の他の特徴は、添付の特許請求の範囲、以下の好ましい実施例の記載及び添付の図面から明らかになる。
【図面の簡単な説明】
【００２２】
【図１】本発明による筆記具の実施形態の縦断面図である。
【図２】図１による筆記具の第一の側面図である。
【図３】図２による筆記具を、図２の図示に対して９０°程回転して示す側面図である。
【図４】図１の個別部分ＩＶを拡大して示す図である。
【発明を実施するための形態】
【００２３】
万年筆として構成された筆記具１０に基づいて本発明を説明する。しかしながら、本発明が万年筆に限られることは決してない。本発明は、ボールペンやインクローラーボールペン等のような筆記先端部を有する別の筆記具に関して用いることもできる。
【００２４】
筆記具１０は、付属の筆記先端部１６（本例では付ペン）が付いた第一の（前方）端部１４と、反対側の第二の（後方）端部１８とを持つ筆記部１２を有している。
【００２５】
筆記部１２は、筆記先端部１６が取り付けられている第一の（前方）筐体部品２０ａと、第二の（後方）筐体部品２０ｂと、これらの筐体部品の間に設けられた筐体リング部品２０ｃとを持つ（複数部品の）筐体２０を有している。第一の筐体部品２０ａ及び第二の筐体部品２０ｂは、本実施例ではスリーブ状に形成されている。第一の筐体部品２０ａは、同時に把持部を構成し、通常、ユーザは筆記中にこの部分で筆記部１２を把持する。ここに記載されている複数部品の筐体構成は、本発明の必然的な構成部品ではない。
【００２６】
筆記部は、筐体２０の内側に、それ自身公知の、従ってここでは詳しくは説明しない構成部品、例えばインクカートリッジ式等によるインクタンクと、インクタンクからペン先までインクが案内される一ないし複数のインク流路とを有している。
【００２７】
筆記具１０は、筆記部１２の他に、さらに保護キャップ２２を有しており、この保護キャップは、本実施例では、筐体２０の外部に設けられたままの筆記先端部１６を保護する役割を担う。ただし、本発明は、筆記部の筐体の外側に設けられたままの筆記先端部を持つ筆記具に限定されているわけではない。本発明は、必要に応じて筆記先端部を筐体から外に出したり中に入れたりできる筆記具に関して用いることもできる。
【００２８】
本例では、保護キャップ２２は、開口した端部を有して同じくスリーブ状に構成されており、筆記先端部１６を保護するために、この開口した端部の中に筆記先端部１６を挿入することができる。
【００２９】
保護キャップ２２は、保護キャップ２２の中に筆記先端部１６が挿入された状態で筆記部１２に取り外し可能に取り付けることができる。保護キャップ２２が取り付けられた状態が、図１，４に示されている。
【００３０】
保護キャップ２２と筆記部１２との間は特殊な態様で接続される。このために、筆記部１２は、楕円体形状に湾曲した接続領域２６をそれぞれが持つ複数の接続手段２４を有している。本例では、接続手段２４は、適切な球状表面ないし球状の接続領域２６を持つ球である。しかしながら、他の楕円体形状の接続領域を持つ別の接続手段を用いることもできる。
【００３１】
接続手段２４は、本例では、筐体２０に対して位置不変に支承されているので、半径方向にせよ軸線方向にせよ、並進運動ができなくなっている。
【００３２】
ただし、接続手段２４は、回転可能ないし自転可能に支承されているので、支承位置にて回転運動（特に固有対称軸線周り）ができるようになっている。
【００３３】
本例では、周方向に延在する保持リング部２８上で支承されるが、必ずしもこのようにする必要はない。保持リング２８も省いてよく、接続手段２４は、例えば筐体２０の、特に第一の筐体部品２０ａの壁部の中又は上に直接的に支承されるのでもよい。
【００３４】
保持リング部２８もまた、筐体２０内に支持されて当該筐体に対して位置不変の筆記部１２の内部部品３０に動かないように接続されている。
【００３５】
接続手段２４は、保護キャップ２２が取り付けられた図１及び４に示された状態において、保護キャップ２２の開口端部領域の内側に設けられた雌ネジ３２に係合する。具体的には、各接続手段２４における楕円体形状に湾曲した各接続領域２６が、雌ネジ３２のネジ山３４内に入り込む、つまりはネジ山の対応する部分区間（Ｔｅｉｌａｂｓｃｈｎｉｔｔ）にそれぞれ入り込む。
【００３６】
このために、雌ネジ３２は、或る仮想的なよくある螺旋に沿って設けられたネジ山３４を有している。
【００３７】
接続手段２４は、このネジ山３４に合わせられるようにして、同じく或る仮想的な螺旋に沿って筆記部１２上に、すなわち本例では保持リング部２８上に設けられている。このとき、筆記部１２の仮想的な螺旋は、雌ネジ３２のネジ山３４の螺旋の延び方に従って延在している。
【００３８】
上記のようにして保持リング部２８に沿って周方向に隣接するどの二つの接続手段２４も、いずれも同じ円周上には設けられていない点、その代わりに軸線方向にずれており、つまりは、二つの接続手段は、互いに軸線方向に距離を有している点、そして、それらが然るべき周方向に所定の角度をなして配置されている点が、図１乃至４に見て取れる。
【００３９】
従って、本実施例では、このようにして互いに離間して配置されている四つの個別の接続手段２４が備えられている。もちろん、もっと多くても少なくてもよい。本例では、隣接するどの二つの接続手段も、周方向においてそれぞれ約９０°の角度を隔てて配置されている。もちろん、これとは異なる角度で隔てられているのでも構わない。
【００４０】
ここで、接続手段２４は、回転可能に支承されて保持リング部２８の適した凹部ないし窪み内に据え付けられている。凹部／窪みは、やはり然るべく（接続手段２４のように）それぞれが互いに軸線方向にずれた状態で配置されており、つまりは、互いに軸線方向に隔てられて配置されており、そして周方向には相応の角度の隔たりを有している。
【００４１】
さらに分かるように、接続手段２４は、接続手段２４の接続領域２６が、第一の筐体部品２０ａの領域における筆記部１２の輪郭よりも半径方向のさらに外側にそれぞれ配置されているように設けられている。
【００４２】
本例では、各接続領域２６は、第一の筐体部品２０ａないし第二の筐体部品２０ｂの隣接する壁部３６，３８よりも半径方向のもっと外側に配置されている。
【００４３】
さらに分かるように、保持リング部２８は、筐体リング部品２０ｃにより半径方向外側が覆われている。筐体リング部品２０ｃは、この場合、カバーリング（隠しリング）（Ｂｌｅｎｄｒｉｎｇ）をなしている。接続手段２４が据え付けられている場所には、然るべき貫通孔があり、これにより、接続手段２４、特に、接続手段２４の各接続領域２６が部分的に筐体リング部品２０ｃを貫いて半径方向外側に延出するようになっている。
【００４４】
筐体部品２０ｃの外面は、このとき、第一の筐体部品２０ａないし第二の筐体部品２０ｂの壁部３６ないし３８の外面と面一に延びている。
【００４５】
保護キャップ２２が取り付けられた図１に示された状態は、通常は、保護キャップ２２と筆記部１２を相対的に回転させることで、保護キャップ２２がその雌ネジ３２により筆記部１２上に回して嵌められ或いは螺合されることで得られる。接続手段２４は、基本的には雄ネジの機能を担うもので、この接続手段上に保護キャップ２２ないし当該保護キャップの雌ネジ３２を螺合させることができる。反対方向への相応の相対回転により、保護キャップ２２は、必要に応じて再び取り外すことができる。
【符号の説明】
【００４６】
１０    筆記具
１２    筆記部
１４    （前方）端部
１６    筆記先端部
１８    （後方）端部
２０    筐体
２０ａ  （前方）筐体部品
２０ｂ  （後方）筐体部品
２０ｃ  筐体リング部品
２２    保護キャップ
２４    接続手段
２６    接続領域
２８    保持リング部
３０    内部部品
３２    雌ネジ
３４    ネジ山
３６    壁部
３８    壁部
【図１】
0006473468.tif 000002
【図２】
0006473468.tif 000003
【図３】
0006473468.tif 000004
【図４】
0006473468.tif 000005